(57)【特許請求の範囲】
【請求項１】
ネットワークを用いて車両の配車管理を行う方法であって、
管理会社が、車両の配車管理ソフトを各地の運送会社と共用し、
前記配車管理ソフトは、各運送会社が当該配車管理ソフトを用いて自社の車両の配車管理業務を遂行することで空車情報を自動的に生成し、
各運送会社の前記空車情報をネットワークを用いて管理会社が共有することで、管理会社が、荷主からの依頼情報に対し最適の車両を選択して割り当てる車両の配車管理方法であり、
前記各運送会社が前記配車管理ソフトを用いて自社の車両の配車管理業務を遂行するに際し、運行車両の荷積み時間／荷卸し時間の入力は、時間を棒グラフ状に表示した画面にマウス操作により荷積み時間から荷卸し時間まで線を引くことで行い、また、運行車両の荷積み地／荷卸し地の入力は、地図を表示した画面にマウス操作により荷積み地から荷卸し地まで線を引くことで行うことを特徴とする車両の配車管理方法。
【請求項２】
ネットワークを用いて車両の配車管理を行う方法であって、
管理会社が、車両の配車管理ソフトを各地の運送会社と共用し、
前記配車管理ソフトは、各運送会社が当該配車管理ソフトを用いて自社の車両の配車管理業務を遂行することで空車情報を自動的に生成し、
各運送会社の前記空車情報をネットワークを用いて管理会社が共有することで、管理会社が、荷主からの依頼情報に対し最適の車両を選択して割り当てる車両の配車管理方法であり、
前記荷主からの依頼情報は、荷積み時間・荷積み地および荷卸し時間・荷卸し地を含み、荷主が前記配車管理ソフトを用いて依頼情報を入力する場合、荷積み時間／荷卸し時間の入力は、時間を棒グラフ状に表示した画面にマウス操作により荷積み時間から荷卸し時間まで線を引くことで行い、また、荷積み地／荷卸し地の入力は、地図を表示した画面にマウス操作により荷積み地から荷卸し地まで線を引くことで行うことを特徴とする車両の配車管理方法。
【請求項３】
ネットワークを用いて車両の配車管理を行う方法であって、
管理会社が、車両の配車管理ソフトを各地の運送会社と共用し、
前記配車管理ソフトは、各運送会社が当該配車管理ソフトを用いて自社の車両の配車管理業務を遂行することで空車情報を自動的に生成し、
各運送会社の前記空車情報をネットワークを用いて管理会社が共有することで、管理会社が、荷主からの依頼情報に対し最適の車両を選択して割り当てる車両の配車管理方法であり、
前記管理会社が前記配車管理ソフトを用いて前記最適車両の割り当てをするに際し、地図を表示した画面にマウス操作により荷積み地から荷卸し地まで線を引くと、各運送会社と共有している空車情報の中から該当する車両のリストを画面に表示させることを特徴とする車両の配車管理方法。
【請求項４】
インターネットを用いて車両の配車管理を行う方法であって、
管理会社が、保有車両の情報およびドライバ情報を含めてあらかじめ会員登録した各地の運送会社に、車両の配車管理ソフトをダウンロードさせることで当該配車管理ソフトを共用し、
前記配車管理ソフトは、各運送会社が当該配車管理ソフトを用いて自社の車両の配車管理業務を遂行することで、各運送会社が保有する車両の空車開始時間・開始地および／または空車終了時間・終了地を含む空車情報を自動的に生成し、
各運送会社の前記空車情報を管理会社へアップロードさせることで、管理会社が各運送会社の空車情報を共有し、
あらかじめ登録した各地の荷主からの依頼情報に基づき、管理会社が前記配車管理ソフトを用いて各運送会社の前記空車情報を検索し、
前記依頼情報に含まれる荷積み時間に荷積み地周辺で空車状態にあり、かつ、荷積み地から荷卸し地まで運行するのに支障のない車両、または、前記依頼情報に含まれる荷卸し時間に荷卸し地周辺で空車状態にあり、かつ、荷積み地から荷卸し地まで運行するのに支障のない車両の中から、管理会社が最も効率のよい車両を選択して割り当てる車両の配車管理方法であり、
前記各運送会社が前記配車管理ソフトを用いて自社の車両の配車管理業務を遂行するに際し、運行車両の荷積み時間／荷卸し時間の入力は、時間を棒グラフ状に表示した画面にマウス操作により荷積み時間から荷卸し時間まで線を引くことで行い、また、運行車両の荷積み地／荷卸し地の入力は、地図を表示した画面にマウス操作により荷積み地から荷卸し地まで線を引くことで行うことを特徴とする車両の配車管理方法。
【請求項５】
インターネットを用いて車両の配車管理を行う方法であって、
管理会社が、保有車両の情報およびドライバ情報を含めてあらかじめ会員登録した各地の運送会社に、車両の配車管理ソフトをダウンロードさせることで当該配車管理ソフトを共用し、
前記配車管理ソフトは、各運送会社が当該配車管理ソフトを用いて自社の車両の配車管理業務を遂行することで、各運送会社が保有する車両の空車開始時間・開始地および／または空車終了時間・終了地を含む空車情報を自動的に生成し、
各運送会社の前記空車情報を管理会社へアップロードさせることで、管理会社が各運送会社の空車情報を共有し、
あらかじめ登録した各地の荷主からの依頼情報に基づき、管理会社が前記配車管理ソフトを用いて各運送会社の前記空車情報を検索し、
前記依頼情報に含まれる荷積み時間に荷積み地周辺で空車状態にあり、かつ、荷積み地から荷卸し地まで運行するのに支障のない車両、または、前記依頼情報に含まれる荷卸し時間に荷卸し地周辺で空車状態にあり、かつ、荷積み地から荷卸し地まで運行するのに支障のない車両の中から、管理会社が最も効率のよい車両を選択して割り当てる車両の配車管理方法であり、
前記荷主からの依頼情報は、荷積み時間・荷積み地および荷卸し時間・荷卸し地を含み、荷主が前記配車管理ソフトを用いて依頼情報を入力する場合、荷積み時間／荷卸し時間の入力は、時間を棒グラフ状に表示した画面にマウス操作により荷積み時間から荷卸し時間まで線を引くことで行い、また、荷積み地／荷卸し地の入力は、地図を表示した画面にマウス操作により荷積み地から荷卸し地まで線を引くことで行うことを特徴とする車両の配車管理方法。
【請求項６】
インターネットを用いて車両の配車管理を行う方法であって、
管理会社が、保有車両の情報およびドライバ情報を含めてあらかじめ会員登録した各地の運送会社に、車両の配車管理ソフトをダウンロードさせることで当該配車管理ソフトを共用し、
前記配車管理ソフトは、各運送会社が当該配車管理ソフトを用いて自社の車両の配車管理業務を遂行することで、各運送会社が保有する車両の空車開始時間・開始地および／または空車終了時間・終了地を含む空車情報を自動的に生成し、
各運送会社の前記空車情報を管理会社へアップロードさせることで、管理会社が各運送会社の空車情報を共有し、
あらかじめ登録した各地の荷主からの依頼情報に基づき、管理会社が前記配車管理ソフトを用いて各運送会社の前記空車情報を検索し、
前記依頼情報に含まれる荷積み時間に荷積み地周辺で空車状態にあり、かつ、荷積み地から荷卸し地まで運行するのに支障のない車両、または、前記依頼情報に含まれる荷卸し時間に荷卸し地周辺で空車状態にあり、かつ、荷積み地から荷卸し地まで運行するのに支障のない車両の中から、管理会社が最も効率のよい車両を選択して割り当てる車両の配車管理方法であり、
前記管理会社が前記配車管理ソフトを用いて前記最適車両の割り当てをするに際し、地図を表示した画面にマウス操作により荷積み地から荷卸し地まで線を引くと、各運送会社と共有している空車情報の中から該当する車両のリストを画面に表示させることを特徴とする車両の配車管理方法。
【発明の詳細な説明】
【０００１】
【発明の属する技術分野】
この発明は、例えばトラック等の運送用車両に適用される車両の配車管理方法と、車両の配車管理システムに関するものである。
【０００２】
【従来の技術】
一般に、トラックを保有する運送会社と、荷主とは、常雇いの関係にない限り、仕事があるときだけ荷物を運んだり運ばれたりする関係である。
【０００３】
【発明が解決しようとする課題】
しかしながら、このような従来のものは、運送会社からすると、仕事がなければトラックを遊ばせておくことになり、運行しない車両は売上にまったく寄与しないという問題があった。
【０００４】
また、荷主からすると、依頼する運送会社が信頼できるかどうか、ドライバは信頼できるかどうか不安があり、それまで依頼したことのない運送会社に気軽に依頼したり、初めてのドライバに細かい注意のいる依頼をすることは、なかなかできないという問題があった。
【０００５】
この発明の課題は、上記従来のもののもつ問題点を排除して、運送会社と荷主との間を管理会社が一定の信頼に基づいて仲介し、しかも、管理会社が各地の運送会社との間でネットワークを用いて車両の配車管理ソフトを共用することで、管理会社と各運送会社とが有機的に結び付けられ、それにより、運送会社の車両を有効に活用するとともに、車両の無駄な運行をできるだけ少なくし、効率のよい車両の配車を実現することのできる車両の配車管理方法および車両の配車管理システムを提供することにある。
【０００６】
【課題を解決するための手段】
この発明は上記課題を解決するものであって、請求項１に係る発明は、ネットワークを用いて車両の配車管理を行う方法であって、管理会社が、車両の配車管理ソフトを各地の運送会社と共用し、前記配車管理ソフトは、各運送会社が当該配車管理ソフトを用いて自社の車両の配車管理業務を遂行することで空車情報を自動的に生成し、各運送会社の前記空車情報をネットワークを用いて管理会社が共有することで、管理会社が、荷主からの依頼情報に対し最適の車両を選択して割り当てる車両の配車管理方法であり、前記各運送会社が前記配車管理ソフトを用いて自社の車両の配車管理業務を遂行するに際し、運行車両の荷積み時間／荷卸し時間の入力は、時間を棒グラフ状に表示した画面にマウス操作により荷積み時間から荷卸し時間まで線を引くことで行い、また、運行車両の荷積み地／荷卸し地の入力は、地図を表示した画面にマウス操作により荷積み地から荷卸し地まで線を引くことで行うことを特徴とするものである。
【０００７】
請求項２に係る発明は、ネットワークを用いて車両の配車管理を行う方法であって、管理会社が、車両の配車管理ソフトを各地の運送会社と共用し、前記配車管理ソフトは、各運送会社が当該配車管理ソフトを用いて自社の車両の配車管理業務を遂行することで空車情報を自動的に生成し、各運送会社の前記空車情報をネットワークを用いて管理会社が共有することで、管理会社が、荷主からの依頼情報に対し最適の車両を選択して割り当てる車両の配車管理方法であり、前記荷主からの依頼情報は、荷積み時間・荷積み地および荷卸し時間・荷卸し地を含み、荷主が前記配車管理ソフトを用いて依頼情報を入力する場合、荷積み時間／荷卸し時間の入力は、時間を棒グラフ状に表示した画面にマウス操作により荷積み時間から荷卸し時間まで線を引くことで行い、また、荷積み地／荷卸し地の入力は、地図を表示した画面にマウス操作により荷積み地から荷卸し地まで線を引くことで行うことを特徴とするものである。
【０００８】
請求項３に係る発明は、ネットワークを用いて車両の配車管理を行う方法であって、管理会社が、車両の配車管理ソフトを各地の運送会社と共用し、前記配車管理ソフトは、各運送会社が当該配車管理ソフトを用いて自社の車両の配車管理業務を遂行することで空車情報を自動的に生成し、各運送会社の前記空車情報をネットワークを用いて管理会社が共有することで、管理会社が、荷主からの依頼情報に対し最適の車両を選択して割り当てる車両の配車管理方法であり、前記管理会社が前記配車管理ソフトを用いて前記最適車両の割り当てをするに際し、地図を表示した画面にマウス操作により荷積み地から荷卸し地まで線を引くと、各運送会社と共有している空車情報の中から該当する車両のリストを画面に表示させることを特徴とするものである。
【００１１】
請求項４に係る発明は、インターネットを用いて車両の配車管理を行う方法であって、管理会社が、保有車両の情報およびドライバ情報を含めてあらかじめ会員登録した各地の運送会社に、車両の配車管理ソフトをダウンロードさせることで当該配車管理ソフトを共用し、前記配車管理ソフトは、各運送会社が当該配車管理ソフトを用いて自社の車両の配車管理業務を遂行することで、各運送会社が保有する車両の空車開始時間・開始地および／または空車終了時間・終了地を含む空車情報を自動的に生成し、各運送会社の前記空車情報を管理会社へアップロードさせることで、管理会社が各運送会社の空車情報を共有し、あらかじめ登録した各地の荷主からの依頼情報に基づき、管理会社が前記配車管理ソフトを用いて各運送会社の前記空車情報を検索し、前記依頼情報に含まれる荷積み時間に荷積み地周辺で空車状態にあり、かつ、荷積み地から荷卸し地まで運行するのに支障のない車両、または、前記依頼情報に含まれる荷卸し時間に荷卸し地周辺で空車状態にあり、かつ、荷積み地から荷卸し地まで運行するのに支障のない車両の中から、管理会社が最も効率のよい車両を選択して割り当てる車両の配車管理方法であり、前記各運送会社が前記配車管理ソフトを用いて自社の車両の配車管理業務を遂行するに際し、運行車両の荷積み時間／荷卸し時間の入力は、時間を棒グラフ状に表示した画面にマウス操作により荷積み時間から荷卸し時間まで線を引くことで行い、また、運行車両の荷積み地／荷卸し地の入力は、地図を表示した画面にマウス操作により荷積み地から荷卸し地まで線を引くことで行うことを特徴とするものである。
【００１２】
請求項５に係る発明は、インターネットを用いて車両の配車管理を行う方法であって、管理会社が、保有車両の情報およびドライバ情報を含めてあらかじめ会員登録した各地の運送会社に、車両の配車管理ソフトをダウンロードさせることで当該配車管理ソフトを共用し、前記配車管理ソフトは、各運送会社が当該配車管理ソフトを用いて自社の車両の配車管理業務を遂行することで、各運送会社が保有する車両の空車開始時間・開始地および／または空車終了時間・終了地を含む空車情報を自動的に生成し、各運送会社の前記空車情報を管理会社へアップロードさせることで、管理会社が各運送会社の空車情報を共有し、あらかじめ登録した各地の荷主からの依頼情報に基づき、管理会社が前記配車管理ソフトを用いて各運送会社の前記空車情報を検索し、前記依頼情報に含まれる荷積み時間に荷積み地周辺で空車状態にあり、かつ、荷積み地から荷卸し地まで運行するのに支障のない車両、または、前記依頼情報に含まれる荷卸し時間に荷卸し地周辺で空車状態にあり、かつ、荷積み地から荷卸し地まで運行するのに支障のない車両の中から、管理会社が最も効率のよい車両を選択して割り当てる車両の配車管理方法であり、前記荷主からの依頼情報は、荷積み時間・荷積み地および荷卸し時間・荷卸し地を含み、荷主が前記配車管理ソフトを用いて依頼情報を入力する場合、荷積み時間／荷卸し時間の入力は、時間を棒グラフ状に表示した画面にマウス操作により荷積み時間から荷卸し時間まで線を引くことで行い、また、荷積み地／荷卸し地の入力は、地図を表示した画面にマウス操作により荷積み地から荷卸し地まで線を引くことで行うことを特徴とするものである。
【００１３】
請求項６に係る発明は、インターネットを用いて車両の配車管理を行う方法であって、管理会社が、保有車両の情報およびドライバ情報を含めてあらかじめ会員登録した各地の運送会社に、車両の配車管理ソフトをダウンロードさせることで当該配車管理ソフトを共用し、前記配車管理ソフトは、各運送会社が当該配車管理ソフトを用いて自社の車両の配車管理業務を遂行することで、各運送会社が保有する車両の空車開始時間・開始地および／または空車終了時間・終了地を含む空車情報を自動的に生成し、各運送会社の前記空車情報を管理会社へアップロードさせることで、管理会社が各運送会社の空車情報を共有し、あらかじめ登録した各地の荷主からの依頼情報に基づき、管理会社が前記配車管理ソフトを用いて各運送会社の前記空車情報を検索し、前記依頼情報に含まれる荷積み時間に荷積み地周辺で空車状態にあり、かつ、荷積み地から荷卸し地まで運行するのに支障のない車両、または、前記依頼情報に含まれる荷卸し時間に荷卸し地周辺で空車状態にあり、かつ、荷積み地から荷卸し地まで運行するのに支障のない車両の中から、管理会社が最も効率のよい車両を選択して割り当てる車両の配車管理方法であり、前記管理会社が前記配車管理ソフトを用いて前記最適車両の割り当てをするに際し、地図を表示した画面にマウス操作により荷積み地から荷卸し地まで線を引くと、各運送会社と共有している空車情報の中から該当する車両のリストを画面に表示させることを特徴とするものである。
【００１６】
【発明の実施の形態】
この発明の実施の形態を、図面を参照して説明する。
図１は、この発明による車両の配車管理システムの一実施の形態を示すブロック図であり、この車両の配車管理システム１は、インターネット等のネットワークを用いて車両の配車管理を行うものであって、管理会社１０と、運送会社１１０と、荷主２１０とで構成される。
【００１７】
管理会社１０は、車両の配車管理ソフトを開発し所有していて、その配車管理ソフトを、会員となる各運送会社１１０にインターネットを用いてダウンロードさせることで配布し、それにより、管理会社１０と各会員運送会社１１０とは、車両の配車管理ソフトを共用するようになっている。
【００１８】
管理会社１０の配車管理ソフトをインストールしたサーバは、マスタ登録モジュール１１、配車モジュール１２（１２ａ、１２ｂ）、状態遷移モジュール１３、空車生成モジュール１４および依頼登録モジュール１５を備えている。
【００１９】
また、管理会社１０のサーバは、運送会社１１０の所在地その他の情報を登録した会員運送会社マスタデータベース（ＤＢ）２１、荷主２１０の所在地その他の情報を登録した登録荷主マスタデータベース（ＤＢ）２２、会員運送会社１１０が保有する車両の形式その他の情報を登録した車両マスタデータベース（ＤＢ）２３、会員運送会社１１０に所属するドライバの経験その他の情報を登録したドライバマスタデータベース（ＤＢ）２４、配車情報データベース（ＤＢ）２５、空車情報データベース（ＤＢ）２６および依頼情報データベース（ＤＢ）２７を備え、さらに、同期モジュール３１を備えている。
【００２０】
運送会社１１０の配車管理ソフトをダウンロードしたクライアントは、マスタ登録モジュール１１１、配車モジュール１１２、状態遷移モジュール１１３および空車生成モジュール１１４を備えている。
【００２１】
また、運送会社１１０のクライアントは、保有する車両の形式その他の情報を登録した車両マスタデータベース（ＤＢ）１２３、所属するドライバの経験その他の情報を登録したドライバマスタデータベース（ＤＢ）１２４、配車情報データベース（ＤＢ）１２５および空車情報データベース（ＤＢ）１２６を備え、さらに、同期モジュール１３１を備えている。
【００２２】
一方、荷主２１０のクライアントは、会員運送会社１１０のクライアントと同様に配車管理ソフトをダウンロードすることもできるが、必ずしも配車管理ソフトそのものをダウンロードしない場合もあり、いずれの場合も、依頼登録モジュール２１５と、依頼情報データベース（ＤＢ）２２７と、同期モジュール２３１とを備えている。
【００２３】
次に、上記の実施の形態の作用について、図２〜図４に示すフローチャートを用いて説明する。
【００２４】
図２に示すように、運送会社１１０のオペレータがクライアントを操作して、自社扱いの運行車両の荷積み時間／荷卸し時間を入力し（ステップＳ１１）、続いて、その運行車両の荷積み地／荷卸し地を入力する（ステップＳ１２）。
【００２５】
すると、配車モジュール１１２が、運行車両の配車情報（時間・地）を配車情報データベース（ＤＢ）１２５に保存する（ステップＳ１３）。
【００２６】
そして、空き時間があらかじめ設定された時間（例えば２時間）以上ある場合は（ステップＳ１４のＹＥＳ）、空車生成モジュール１１４が、その車両の空車開始時間・開始地／空車終了時間・終了地を生成して空車情報データベース（ＤＢ）１２６に保存する（ステップＳ１５）。
【００２７】
その後、同期モジュール１３１がサーバの同期モジュール３１と同期をとって、その車両の配車情報／空車情報をサーバへ送信する（ステップＳ１６）。
【００２８】
これを受けてサーバは、送信された配車情報／空車情報を配車情報データベース（ＤＢ）２５／空車情報データベース（ＤＢ）２６に保存する（ステップＳ１０）。
【００２９】
一方、運送会社１１０のオペレータは、すべての運行車両の登録を終了するまで（ステップＳ１７）、ステップＳ１１に戻って、つぎの運行車両について同様の登録を行う。
【００３０】
図３に示すように、荷主２１０のオペレータがクライアントを操作して、車両運行の依頼の内容を入力する（ステップＳ２１）。
【００３１】
すると、依頼登録モジュール２１５が、その依頼情報を依頼情報データベース（ＤＢ）２２７に保存する（ステップＳ２２）。
【００３２】
その後、同期モジュール２３１がサーバの同期モジュール３１と同期をとって、その依頼情報をサーバへ送信する（ステップＳ２３）。
【００３３】
これを受けてサーバは、送信された依頼情報を依頼情報データベース（ＤＢ）２７に保存する（ステップＳ２０）。
【００３４】
一方、荷主２１０のオペレータは、すべての依頼情報の登録を終了するまで（ステップＳ２４）、ステップＳ２１に戻って、つぎの車両運行の依頼について同様の登録を行う。
【００３５】
図４に示すように、管理会社１０のオペレータが図示しない管理会社用クライアントを操作して、依頼情報データベース（ＤＢ）２７中の未決の依頼情報について荷積み地／荷卸し地を地図上で指示する（ステップＳ３１）。
【００３６】
すると、配車モジュール１２ｂが空車情報データベース（ＤＢ）２６を検索し、所定時間に荷積み地周辺にいて荷卸し地まで運行可能な空車を探す（ステップＳ３２）。
【００３７】
該当空車の有無の判定に基づき（ステップＳ３３）、該当空車が１台だけの場合は、オペレータがその空車を運行車両として決定する（ステップＳ３４）。
【００３８】
また、該当空車が２台以上ある場合は、オペレータが最適空車を選択したうえ（ステップＳ３５）、その選択した空車を運行車両として決定する（ステップＳ３４）。例えば、荷積み地から遠くにいる空車と、近くにいる空車とがある場合は、近くにいる空車を選択する。また、例えば、その依頼が１日のうちの限られた時間であり、その日予定の入っていない空車と、その依頼の時間と重ならない時間に予定の入っている空車とがある場合は、車両の無駄な運行をできるだけ減らすため、重ならない時間に予定の入っている空車を選択する。その他、合理性のある適宜の判定基準にしたがって最適の空車を選択し、選択したその空車を運行車両として決定する。
【００３９】
また、該当空車が１台もない場合は、オペレータが検索条件を適宜緩めたうえ（ステップＳ３６）、再度空車情報データベース（ＤＢ）２６を検索して、所定時間に荷積み地周辺にいて荷卸し地まで運行可能な空車を探す（ステップＳ３２）。例えば、依頼情報が２トン車であるのに対し、空車情報が３トン車であるが料金については依頼情報を満足しているような場合は、その３トン車を依頼情報に該当する空車として決定する。
【００４０】
そして、オペレータが所定の空車を運行車両として決定すると（ステップＳ３４）、配車モジュール１２ｂがその車両の配車情報（時間・地）を配車情報データベース（ＤＢ）２５に保存し、空車情報データベース（ＤＢ）２６を更新する（ステップＳ３７）。
【００４１】
その後、同期モジュール３１が該当する運送会社１１０のクライアントの同期モジュール１３１と同期をとって、その車両の配車情報／空車情報をそのクライアントへ送信する（ステップＳ３８）。
【００４２】
これを受けて該当する運送会社１１０のクライアントは、送信された配車情報／空車情報で配車情報データベース（ＤＢ）１２５／空車情報データベース（ＤＢ）１２６を更新する（ステップＳ３０）。
【００４３】
一方、管理会社１０のオペレータは、すべての依頼情報の配車を終了するまで（ステップＳ３９）、ステップＳ３１に戻って、つぎの未決の依頼情報について同様の配車管理を行う。
【００４４】
次に、上記の実施の形態の作用について、図５〜図１１に示す操作画面を用いてさらに説明する。
【００４５】
運送会社１１０のオペレータによる運行車両の荷積み時間／荷卸し時間および荷積み地／荷卸し地の入力は、つぎのようにして行う。
【００４６】
すなわち、図５の運行管理画面に示すように、車両番号「４０２１」、ドライバ名「西田」の車両については、まず、マウスをドラッグして９：００の位置から１４：００の位置まで線を引くことで、荷積み時間（９：００）および荷卸し時間（１４：００）が入力される。但し、このときはまだ、荷積み地を示す「車庫」の文字および荷卸し地を示す「東京都世田谷区」の文字は、いずれも表示されない。
【００４７】
荷積み時間／荷卸し時間が入力されると、自動的に図６の地図画面に切り替わるから、マウスをドラッグして、車庫のある板橋区から行き先の世田谷区まで矢印を引くことで、荷積み地（板橋区の車庫）および荷卸し地（世田谷区）が入力される。
【００４８】
すると、自動的に図５の運行管理画面に切り替わり、荷積み時間（９：００）の位置に荷積み地を示す「車庫」の文字が表示され、また、荷卸し時間（１４：００）の位置に荷卸し地を示す「東京都世田谷区」の文字が表示される。
【００４９】
続いて、図５の運行管理画面で、マウスをドラッグして１８：００の位置から２２：００の位置まで線を引くことで、荷積み時間（１８：００）および荷卸し時間（２２：００）が入力され、自動的に切り替わる図６の地図画面で、マウスをドラッグして相模原市から車庫のある板橋区まで矢印を引く（図示省略）ことで、荷積み地（相模原市）および荷卸し地（板橋区の車庫）が入力され、自動的に切り替わる図５の運行管理画面で、荷積み地を示す「神奈川県相模原市」の文字および荷卸し地を示す「車庫」の文字が表示される。
【００５０】
このように、運行車両の荷積み時間／荷卸し時間および荷積み地／荷卸し地は、マウス操作だけで入力することが可能である。
【００５１】
そして、この車両の場合、最初の荷卸し時間（１４：００）からつぎの荷積み時間（１８：００）までに４時間あるから、空車生成モジュール１１４が、空車開始時間（１４：００）・開始地（東京都世田谷区）および空車終了時間（１８：００）・終了地（神奈川県相模原市）を生成し、図７に示すように、その車両の運行管理画面に「空車」の文字を表示する。
【００５２】
また、荷主２１０のオペレータによる車両運行の依頼内容の入力は、つぎのようにして行う。
【００５３】
すなわち、図８の依頼作成画面に示すように、車両の積載量（例えば４トン車）、種類（例えばウイング車）、金額、台数その他の依頼条件を指定するとともに、荷積み時間（例えば９：００）／荷卸し時間（例えば１４：００）および荷積み地（例えば東京都板橋区）／荷卸し地（例えば東京都世田谷区）を入力する。この荷積み時間／荷卸し時間および荷積み地／荷卸し地の入力は、図５の運行管理画面および図６の地図画面を用いて説明した上記の運送会社１１０のオペレータの場合と同様にして行う。
【００５４】
さらに、管理会社１０のオペレータによる未決の依頼情報についての荷積み地（例えば神奈川県川崎市）／荷卸し地（例えば埼玉県三郷市）の地図上での指示は、つぎのようにして行う。
【００５５】
すなわち、図９の地図画面に示すように、マウスをドラッグして、川崎市から行き先の三郷市まで矢印を引くことで、荷積み地（神奈川県川崎市）および荷卸し地（埼玉県三郷市）が入力される。
【００５６】
すると、自動的に図１０の該当空車リスト併記画面に切り替わり、荷積み地（神奈川県川崎市）から荷卸し地（埼玉県三郷市）までの利用に適した空車が一覧表示される。すなわち、図１０の最初の車両は、空車開始地が神奈川県厚木市で空車終了地が埼玉県三郷市であり、また、２番目の車両は、空車開始地が神奈川県川崎市で空車終了地が茨城県那珂郡である。
【００５７】
そして、図１０の該当空車リスト併記画面に表示された空車リストの中から、管理会社１０のオペレータが、空車開始時間／空車終了時間を含む各車両の詳細情報を参照して最適と判断した空車を指定すると、その車両を保有する運送会社１１０に運行指示が伝えられて、運行管理画面が更新される。
【００５８】
すなわち、図１１の運行管理画面に示すように、空車開始地が東京都大田区で空車開始時間（１２：００）以降予定が入っていない車両番号「１２３４」、ドライバ名「永野」の車両が指定された場合は、その車両の運行管理画面に、荷主２１０の依頼情報に基づく荷積み時間（例えば１４：００）／荷卸し時間（例えば１８：００）および荷積み地（例えば神奈川県川崎市）／荷卸し地（例えば埼玉県三郷市）が表示される。これと同時に、管理会社１０からその運送会社１１０に対し、ファクシミリまたはｅメールで依頼通知が行われる。
【００５９】
この依頼通知（運行指示）に応じて運送会社１１０が運行する確認を管理会社１０に通知すると、管理会社１０がその旨を対応する荷主２１０に伝える。そして、その運送会社１１０から運行の終了報告を受け付けると、管理会社１０がその旨を荷主２１０に通知して終了することとなる。
【００６０】
なお、上記の実施の形態では、運送会社１１０のオペレータがクライアントを操作して、自社扱いの運行車両の荷積み時間／荷卸し時間および荷積み地／荷卸し地を入力したが、これに限定するものでなく、例えば、運送会社１１０に代わって、管理会社１０のオペレータが図示しないクライアントを用いて入力することができる。その場合は、管理会社１０のサーバの配車モジュール１２ａが、運行車両の配車情報（時間・地）を配車情報データベース（ＤＢ）２５に保存するとともに、空き時間があらかじめ設定された時間（例えば２時間）以上ある場合は、空車生成モジュール１４が、その車両の空車開始時間・開始地／空車終了時間・終了地を生成して空車情報データベース（ＤＢ）２６に保存する（ステップＳ１５）。そして、配車情報データベース（ＤＢ）２５に保存した配車情報および空車情報データベース（ＤＢ）２６に保存した空車情報を、該当する運送会社１１０へ送信して配車情報データベース（ＤＢ）１２５および空車情報データベース（ＤＢ）１２６に保存することができる。
【００６１】
すなわち、運送会社１１０にクライアントを操作するオペレータがいなくても、例えばファクシミリを使って、自社扱いの運行車両の荷積み時間／荷卸し時間および荷積み地／荷卸し地を管理会社１０に伝えることで、運送会社１１０に代わって管理会社１０が入力操作を行い、入力された配車情報および生成された空車情報を運送会社１１０のクライアントに保存することが可能である。
【００６２】
また、上記の実施の形態では、荷主２１０のオペレータがクライアントを操作して車両運行の依頼の内容を入力したが、これに限定するものでなく、例えば、荷主２１０に代わって、管理会社１０のオペレータが図示しないクライアントを用いて入力することができる。その場合は、管理会社１０のサーバの依頼登録モジュール１５が、その依頼情報を依頼情報データベース（ＤＢ）２７に保存する。そして、依頼情報データベース（ＤＢ）２７に保存した依頼情報を、該当する荷主２１０へ送信して依頼情報データベース（ＤＢ）２２７に保存することができる。
【００６３】
すなわち、荷主２１０にクライアントを操作するオペレータがいなくても、例えばファクシミリを使って、自社の依頼情報を管理会社１０に伝えることで、荷主２１０に代わって管理会社１０が入力操作を行い、入力された依頼情報を荷主２１０のクライアントに保存することが可能である。
【００６４】
【発明の効果】
この発明は以上のように、管理会社が、車両の配車管理ソフトを各地の運送会社と共用し、配車管理ソフトは、各運送会社が当該配車管理ソフトを用いて自社の車両の配車管理業務を遂行することで空車情報を自動的に生成し、各運送会社の空車情報をネットワークを用いて管理会社が共有することで、管理会社が、荷主からの依頼情報に対し最適の車両を選択して割り当てるように構成したので、運送会社と荷主との間を管理会社が一定の信頼に基づいて仲介し、しかも、管理会社が各地の運送会社との間でネットワークを用いて車両の配車管理ソフトを共用することで、管理会社と各運送会社とが有機的に結び付けられ、それにより、運送会社の車両を有効に活用するとともに、車両の無駄な運行をできるだけ少なくし、効率のよい車両の配車を実現することができる効果がある。
【図面の簡単な説明】
【図１】車両の配車管理システムの一実施の形態を示すブロック図である。
【図２】運送会社による運行登録動作を示すフローチャートである。
【図３】荷主による依頼登録動作を示すフローチャートである。
【図４】管理会社による配車管理動作を示すフローチャートである。
【図５】運行車両の荷積み時間／荷卸し時間の入力画面を示す説明図である。
【図６】運行車両の荷積み地／荷卸し地の入力画面を示す説明図である。
【図７】車両の空車開始時間・開始地／空車終了時間・終了地の表示画面を示す説明図である。
【図８】車両運行の依頼の入力画面を示す説明図である。
【図９】依頼情報の荷積み地／荷卸し地の入力画面を示す説明図である。
【図１０】入力した依頼情報に該当する空車リストを示す説明図である。
【図１１】管理会社が配車した運行管理画面を示す説明図である。
【符号の説明】
１  車両の配車管理システム
１０  管理会社（サーバ）
１１  マスタ登録モジュール
１２  配車モジュール
１３  状態遷移モジュール
１４  空車生成モジュール
１５  依頼登録モジュール
２１  会員運送会社マスタデータベース（ＤＢ）
２２  登録荷主マスタデータベース（ＤＢ）
２３  車両マスタデータベース（ＤＢ）
２４  ドライバマスタデータベース（ＤＢ）
２５  配車情報データベース（ＤＢ）
２６  空車情報データベース（ＤＢ）
２７  依頼情報データベース（ＤＢ）
３１  同期モジュール
１１０  運送会社（クライアント）
１１１  マスタ登録モジュール
１１２  配車モジュール
１１３  状態遷移モジュール
１１４  空車生成モジュール
１２３  車両マスタデータベース（ＤＢ）
１２４  ドライバマスタデータベース（ＤＢ）
１２５  配車情報データベース（ＤＢ）
１２６  空車情報データベース（ＤＢ）
１３１  同期モジュール
２１０  荷主（クライアント）
２１５  依頼登録モジュール
２２７  依頼情報データベース（ＤＢ）
２３１  同期モジュール
【図１】
0003670207.tif 000002
【図２】
0003670207.tif 000003
【図３】
0003670207.tif 000004
【図４】
0003670207.tif 000005
【図５】
0003670207.tif 000006
【図６】
0003670207.tif 000007
【図７】
0003670207.tif 000008
【図８】
0003670207.tif 000009
【図９】
0003670207.tif 000010
【図１０】
0003670207.tif 000011
【図１１】
0003670207.tif 000012